(57)【要約】  サブチューナ（４）がデータサービス受信を行っているときに、メインチューナ（３）の受信レベルが第１閾値以下、又は、サブチューナ（４）の受信レベルが第２閾値以下となると、サブチューナ処理制御部（９０）、放送番組サーチ制御部（９１）及びデータサービス制御部（９３）は、サブチューナ（４）に実行中のデータサービス受信を中断させて、放送番組サーチを開始させる。そして、メインチューナ（３）の受信レベルが第１閾値以下、又は、サブチューナ（４）の受信レベルが第２閾値以下の状態の間は、サブチューナ処理制御部（９０）及び放送番組サーチ制御部（９１）は、サブチューナ（４）に放送番組サーチを繰り返し継続して行わせる。
2017191675.tif 000002
【特許請求の範囲】
【請求項１】
２つのチューナと、
一方のチューナに、ユーザに提供中の番組の放送局を選局させている間、他方のチューナに、受信可能な番組をサーチする放送番組サーチ、ユーザに提供中の番組の代替え番組の放送局を選局する代替え局選局、又は、受信可能な番組のデータサービスを受信するデータサービス受信を行わせる制御を行う制御部とを備え、
前記制御部は、
前記他方のチューナがデータサービス受信を行っているときに、前記一方のチューナの受信レベルが第１閾値以下、又は、前記他方のチューナの受信レベルが第２閾値以下の状態となると、前記他方のチューナにデータサービス受信を中断させて当該状態の間は放送番組サーチを継続して行わせ、
前記状態が解消されると、放送番組サーチ、次いで代替え局選局、次いでデータサービス受信を行う処理を前記他方のチューナに開始させることを特徴とする移動体用のデジタル放送受信機。
【請求項２】
２つのチューナと、
一方のチューナに、ユーザに提供中の番組の放送局を選局させている間、他方のチューナに、受信可能な番組をサーチする放送番組サーチ、ユーザに提供中の番組の代替え番組の放送局を選局する代替え局選局、又は、受信可能な番組のデータサービスを受信するデータサービス受信を行わせる制御を行う制御部とを備え、
前記制御部は、
前記一方のチューナが選局する放送局の番組をユーザに提供しなくなると、前記他方のチューナに実行中の処理に次いで又は当該処理を中断させて、データサービス受信を継続して行わせ、
前記他方のチューナがデータサービス受信を行っているときに、前記一方のチューナの受信レベルが第１閾値以下、又は、前記他方のチューナの受信レベルが第２閾値以下の状態となると、前記他方のチューナにデータサービス受信を中断させて当該状態の間は放送番組サーチを継続して行わせることを特徴とする移動体用のデジタル放送受信機。
【請求項３】
前記制御部は、前記一方のチューナの受信レベルが第１閾値以下、又は、前記他方のチューナの受信レベルが第２閾値以下の状態となって中断させた番組のデータサービス受信を、当該状態が解消されてから当該番組でない他の番組のデータサービス受信後に、前記他方のチューナに行わせることを特徴とする請求項１記載の移動体用のデジタル放送受信機。
【請求項４】
前記制御部は、前記一方のチューナの受信レベルが第１閾値以下、又は、前記他方のチューナの受信レベルが第２閾値以下の状態となって中断させた番組のデータサービス受信を、当該状態が解消されてから当該番組でない他の番組のデータサービス受信後に、前記他方のチューナに行わせることを特徴とする請求項２記載の移動体用のデジタル放送受信機。
【発明の詳細な説明】
【技術分野】
【０００１】
この発明は、移動体に搭載されて、デジタル放送を受信するデジタル放送受信機に関するものである。
【背景技術】
【０００２】
移動体に搭載され、当該移動体と共に移動しながら放送番組及びデータサービスを受信するデジタル放送受信機は、移動によって番組を受信可能な放送局が変化し、受信状況も常には安定した状況ではない。そこで、メインチューナに加えてサブチューナを設けることで、受信可能な番組をサブチューナでサーチし、視聴可能な番組リストを更新するデジタル放送受信機がある。このようなサブチューナを利用することにより、例えばメインチューナでの番組受信中に、当該番組の周波数とは異なる周波数で放送される同一番組、いわゆる代替え番組の放送局を予め選局してシームレスに当該代替え番組へ切替えたり、１または複数の番組のデータサービスを受信したりすることが可能となる。
しかしながら、１つのサブチューナが、複数の動作を同時に行うことはできない。例えば、番組のデータサービスを受信するためには、該当する放送局を選局し続ける必要があり、その間は別の放送局を選局することはできない。このため、データサービスの受信中は、放送番組サーチ、代替え番組の放送局の選局を行うことができない。つまり、データサービスの受信中は、リアルタイムな番組リストの更新、シームレスな代替え番組への切替えを、ユーザに提供することができなくなる。
従って、放送番組サーチ、代替え局選局、データサービス受信というこれらサブチューナでの動作の実施を状況に応じて制御することで、効率的な放送番組サーチ、代替え局選局、データサービス受信の実現を図るのが望ましい。【０００３】
例えば特許文献１には、メインチューナの受信電界強度が強電界の場合、サブチューナがＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ、登録商標／以下、記載を省略する。）受信専用となり、当該強度が中電界の場合、サブチューナがネットワークフォロー受信とＶＩＣＳ受信との時分割処理を行い、当該強度が弱電界の場合、サブチューナがネットワークフォロー受信専用となり、当該強度が微弱電界である場合、サブチューナがＶＩＣＳ受信専用となる２チューナラジオ受信機が開示されている。
【先行技術文献】
【特許文献】
【０００４】
【特許文献１】特開２００４―２３３９８号公報
【発明の概要】
【発明が解決しようとする課題】
【０００５】
上記の通り、特許文献１の２チューナラジオ受信機では、電界強度が微弱電界である場合、サブチューナはネットワークフォローを行わず、ＶＩＣＳ受信専用となる。
しかしながら、そのような微弱電界の場合でも、受信中の放送局の電波状況が悪く受信可能な放送局が変化する可能性があることから、放送番組サーチの必要性は高い。また、サブチューナの受信電界強度が低い場合は、安定した受信状況ではなくデータの取りこぼしが発生する可能性があるので、データサービス受信の確実性は低くなる。従って、特許文献１の２チューナラジオ受信機のような制御を用いた場合、効率的な放送番組サーチ、代替え局選局、データサービス受信が可能になるとは言い難い。【０００６】
この発明は、上記のような課題を解決するためになされたもので、効率的な放送番組サーチ、代替え局選局、データサービス受信を可能にするデジタル放送受信機を得ることを目的とする。
【課題を解決するための手段】
【０００７】
この発明に係るデジタル放送受信機は、２つのチューナと、一方のチューナに、ユーザに提供中の番組の放送局を選局させている間、他方のチューナに、受信可能な番組をサーチする放送番組サーチ、ユーザに提供中の番組の代替え番組の放送局を選局する代替え局選局、又は、受信可能な番組のデータサービスを受信するデータサービス受信を行わせる制御を行う制御部とを備え、制御部は、他方のチューナがデータサービス受信を行っているときに、一方のチューナの受信レベルが第１閾値以下、又は、他方のチューナの受信レベルが第２閾値以下の状態となると、他方のチューナにデータサービス受信を中断させて当該状態の間は放送番組サーチを継続して行わせ、その状態が解消されると、放送番組サーチ、次いで代替え局選局、次いでデータサービス受信を行う処理を他方のチューナに開始させることを特徴とするものである。
【発明の効果】
【０００８】
この発明によれば、他方のチューナがデータサービス受信を行っているときに、一方のチューナの受信レベルが第１閾値以下、又は、他方のチューナの受信レベルが第２閾値以下の状態となると、他方のチューナにデータサービス受信を中断させて当該状態の間は放送番組サーチを継続して行わせることで、効率的な放送番組サーチ、代替え局選局、データサービス受信が可能となる。
【図面の簡単な説明】
【０００９】
【図１】この発明の実施の形態１に係るデジタル放送受信機の構成を示す図である。
【図２】この発明の実施の形態１に係るデジタル放送受信機のハードウェア構成例を示す図である。
【図３】図３Ａ及び図３Ｂは、この発明の実施の形態１に係るデジタル放送受信機の制御部の他のハードウェア構成例を示す図である。
【図４】この発明の実施の形態１に係るデジタル放送受信機の処理を示すタイミングチャートである。
【図５】この発明の実施の形態１に係るデジタル放送受信機の処理を示すタイミングチャートである。
【図６】この発明の実施の形態１に係るデジタル放送受信機の処理を示すタイミングチャートである。
【図７】この発明の実施の形態１に係るデジタル放送受信機の処理を示すフローチャートである。
【発明を実施するための形態】
【００１０】
以下、この発明をより詳細に説明するために、この発明を実施するための形態について、添付の図面に従って説明する。
実施の形態１．
図１に、この発明の実施の形態１に係るデジタル放送受信機１の構成を示す。デジタル放送受信機１は、例えば車両等の移動体に搭載されている。以下では、デジタル放送受信機１がＤＡＢ（Ｄｉｇｉｔａｌ  Ａｕｄｉｏ  Ｂｒｏａｄｃａｓｔ）方式のデジタルラジオ放送を受信する場合を例に説明する。
デジタル放送受信機１は、アンテナ２、メインチューナ３、サブチューナ４、デコード部５、ＤＡ変換部６、増幅部７、音声出力部８、制御部９、記憶部１０、入力部１１、映像出力部１２を有する。
【００１１】
アンテナ２は、デジタル放送の放送波を受信して、受信信号をメインチューナ３及びサブチューナ４へ出力する。
メインチューナ３は、アンテナ２が出力した受信信号から、ユーザに提供する番組の放送局に対応する信号を選択し、デコード部５に出力する。ここでは、ユーザが視聴可能なように、番組等の映像又は音声信号を例えば音声出力部８、映像出力部１２から出力することを「ユーザに提供」という。
サブチューナ４は、アンテナ２が出力した受信信号を用いて、後述する各種の処理を行い、処理結果等をデコード部５に信号として出力する。
メインチューナ３、サブチューナ４は、後述するように互いに同一の機能を有するチューナであり、制御部９により、いずれか一方がメイン、他方がサブとして切替え可能に機能するものである。
【００１２】
デコード部５は、オーディオデコード部５０とデータサービスデコード部５１とを有する。オーディオデコード部５０は、メインチューナ３が出力した信号から得られるオーディオデータをデコードする。オーディオデータは、ＤＡ変換部６に出力される。データサービスデコード部５１は、メインチューナ３及びサブチューナ４が出力した信号から得られるデータサービスのデータをデコードする。データサービスのデータは、制御部９に出力される。データサービスのデータとは、番組のアイコン、出演者等の番組に関する説明文等を示すものであり、ユーザに提供中の番組に関するデータであれば、最終的に映像出力部１２で表示することが可能である。
【００１３】
ＤＡ変換部６は、オーディオデータをアナログ信号に変換して、増幅部７に出力する。
増幅部７は、ＤＡ変換部６が出力したアナログ信号を増幅して、音声出力部８に出力する。
音声出力部８は、増幅部７が出力したアナログ信号に応じた音声を出力する。
【００１４】
制御部９は、デジタル放送受信機１の各部の動作を総括して制御するものであり、サブチューナ処理制御部９０、放送番組サーチ制御部９１、代替え切替制御部９２、データサービス制御部９３、モード切替制御部９４、入出力制御部９５を有する。
【００１５】
サブチューナ処理制御部９０は、サブチューナ４に行わせる処理を決定し、放送番組サーチ制御部９１、代替え切替制御部９２及びデータサービス制御部９３に通知する。そして、放送番組サーチ制御部９１、代替え切替制御部９２及びデータサービス制御部９３は、サブチューナ処理制御部９０が決定した処理を行うようにサブチューナ４を制御する。
【００１６】
放送番組サーチ制御部９１は、デコード部５を介してサブチューナ４に制御信号を出力し、受信可能な番組をサーチする放送番組サーチをサブチューナ４に行わせる。
放送番組サーチでは、サブチューナ４は、アンテナ２が出力した受信信号から、予め定められた帯域内の各周波数の信号を順次選局して、番組情報を取得する。当該帯域及び周波数は、予め記憶部１０に記憶されるなどしており、放送番組サーチ制御部９１により読み出し可能である。番組情報は、サービス番組名、サービスＩＤ等であり、対応する周波数と紐付けられて、サブチューナ４からデコード部５を介し、サーチ結果として放送番組サーチ制御部９１に出力される。サーチ結果は、受信可能な番組を示す番組リストとして、放送番組サーチ制御部９１によって記憶部１０に記憶される。予め定められた帯域内のサーチ結果が得られると、放送番組サーチ制御部９１は、放送番組サーチを終了させる制御信号をサブチューナ４に出力する。また、放送番組サーチ制御部９１は、放送番組サーチが完了した旨をサブチューナ処理制御部９０に通知する。
【００１７】
代替え切替制御部９２は、デコード部５を介してサブチューナ４に制御信号を出力し、代替え局を選局する代替え局選局をサブチューナ４に行わせる。代替え局は、代替え番組の放送局である。そして、代替え番組は、メインチューナ３で選局してユーザに提供している放送局の番組と同一の内容の番組であって、放送の周波数が異なる番組である。
代替え局選局では、サブチューナ４は、後述する代替え局への切替が行われる場合を除き、少なくとも予め定められた設定時間の間、代替え局を選局し続ける。代替え局選局を開始する際、代替え切替制御部９２は、放送番組サーチのサーチ結果である番組リストを記憶部１０から読み出すことで、サブチューナ４が選局すべき放送局を制御信号にて指示する。例えば、代替え切替制御部９２は、番組リストに示されたサービスＩＤを用いて、代替え局の周波数を判定する。これは、同一の内容の番組には、同一のサービスＩＤが割り振られることを利用したものである。または、代替え切替制御部９２は、メインチューナ３で選局中の放送局が通知する代替え局のサービスＩＤと同一のサービスＩＤを持つ番組を、番組リストから選択してもよい。この場合、ＦＩＧ（Ｆａｓｔ  Ｉｎｆｏｒｍａｔｉｏｎ  Ｇｒｏｕｐ）データのＦＩＧ  Ｔｙｐｅ０／６内に、代替え局のサービスＩＤが設定されて放送される。
【００１８】
また、代替え切替制御部９２は、代替え局への切替えを行う場合、デコード部５を介してサブチューナ４に制御信号を出力し、それ以降は当該サブチューナ４をメインチューナとして動作させる。その際、代替え切替制御部９２は、デコード部５を介してメインチューナ３にも制御信号を出力し、それ以降は当該メインチューナ３をサブチューナとして動作させる。つまり、代替え切替制御部９２は、メインチューナとサブチューナの切替えを行わせる。サブチューナ４で代替え局選局中に、メインチューナとサブチューナの切替えが行われると、音切れ等の無いシームレスな代替え局への切替えが可能である。
【００１９】
代替え局選局を行わせてから設定時間が過ぎた場合、代替え切替制御部９２は、代替え局選局を終了させる制御信号をサブチューナ４に出力する。また、代替え局選局中にメインチューナとサブチューナの切替えが行われた場合、代替え切替制御部９２は、代替え局として選局していた放送局の選局を継続させる制御信号をメインチューナに切替わったサブチューナ４に出力する。また、代替え切替制御部９２は、サブチューナ４に代替え局選局を行わせてから設定時間が過ぎると、代替え局選局が完了した旨をサブチューナ処理制御部９０に通知する。なお、当該設定時間を、以下では代替え局選局時間と呼ぶ。
【００２０】
データサービス制御部９３は、デコード部５を介してサブチューナ４に制御信号を出力し、受信可能な番組のデータサービスを受信するデータサービス受信をサブチューナ４に行わせる。
データサービス受信では、サブチューナ４は、放送番組サーチにより検出された番組に付随するデータサービスのデータをデータサービスデコード部５１でデコードさせる。デコードされたデータサービスのデータは、デコード部５からデータサービス制御部９３に出力されて、データサービス制御部９３は、当該データを記憶部１０に記憶させる。
【００２１】
その際、データサービス制御部９３は、放送番組サーチのサーチ結果である番組リストを記憶部１０から読み出すとともに、データサービスのデータの取得未取得情報を記憶部１０から読み出し、データサービスのデータが未取得の番組に付随するデータサービスの受信をサブチューナ４に行わせる。このため、データサービス制御部９３は、１つの番組に付随するデータサービスの受信が完了する度に、当該番組のデータサービスのデータが取得済みである旨を示す情報を、記憶部１０に記憶させる。また、データサービスのデータには、放送事業者が指定したり、更新期間が画一的に定められたりするなどして、有効期限が存在する。データサービス制御部９３は、受信したデータサービスのデータの有効期限も、記憶部１０に記憶させる。データの有効期限が過ぎた場合には、データサービス制御部９３は、当該データに対応する番組のデータサービスのデータを未取得として扱う。
１つの番組に付随するデータサービスの受信が完了すると、データサービス制御部９３は、データサービス受信を終了させる制御信号をサブチューナ４に出力する。また、データサービス制御部９３は、データサービス受信が完了した旨をサブチューナ処理制御部９０に通知する。
【００２２】
また、データサービス制御部９３は、メインチューナ３が出力した信号から得られたデコード済みのデータサービスのデータを、データサービスデコード部５１から取得し、当該データを記憶部１０に記憶させる処理も行う。
【００２３】
このように、サブチューナ４は、制御部９に制御されて、放送番組サーチ、代替え局選局、データサービス受信という周知の各処理を行う。
【００２４】
モード切替制御部９４は、ＤＡ変換部６に制御信号を出力し、ＤＡ変換部６で処理の対象とするデータを、デコード部５が出力するオーディオデータと、当該オーディオデータ以外、つまりＤＡＢ以外のオーディオソースが出力するオーディオデータとの間で切り替えさせる。ＤＡＢ以外のオーディオソースとは、例えばＣＤ（Ｃｏｍｐａｃｔ  Ｄｉｓｃ）等の再生装置、ＦＭ（Ｆｒｅｑｕｅｎｃｙ  Ｍｏｄｕｌａｔｉｏｎ）ラジオ受信機等である。これらオーディオソースは、ＤＡ変換部６と通信可能に接続されるが、図１では不図示としている。
デコード部５が出力するオーディオデータを、ＤＡ変換部６の処理の対象とすれば、音声出力部８からはＤＡＢ方式のラジオ音声が出力される。一方、例えばＦＭラジオ受信機が出力するオーディオデータを、ＤＡ変換部６の処理の対象とすれば、音声出力部８からはＦＭラジオ音声が出力される。
【００２５】
このようなモードの切替えは、例えば、入力部１１を介してユーザが指示を入力することで行われる。モード切替制御部９４は、モードを切替えるたびに、いずれのモードに切替えたかを記憶部１０に記憶させる。
【００２６】
入出力制御部９５は、入力部１１を介してユーザの指示を受け付ける。そして、受け付けたユーザの指示を、制御部９の各部に通知する。また、入出力制御部９５は、メインチューナ３で選局されている放送局の番組に付随するデータサービスのデータを記憶部１０から読み出して映像信号を生成し、映像出力部１２に出力する。
【００２７】
図２は、デジタル放送受信機１のハードウェア構成例を示す図である。
メインチューナ３及びサブチューナ４は、同一の受信機能を有するチューナ３ａ，３ｂで構成される。チューナ３ａ，３ｂは、制御部９の制御により、一方がメインチューナ３として機能し、他方がサブチューナ４として機能する。そして例えば、チューナ３ａがメインチューナ３として機能し、チューナ３ｂがサブチューナ４として機能しているときに、代替え切替制御部９２によりメインチューナとサブチューナの切替えが指示されると、チューナ３ｂがメインチューナ３として機能し、チューナ３ａがサブチューナ４として機能する。
【００２８】
デコード部５は、ＤＡＢデコーダ５ａで構成される。
ＤＡ変換部６は、例えばＤＳＰ（Ｄｉｇｉｔａｌ  Ｓｉｇｎａｌ  Ｐｒｏｃｅｓｓｏｒ）６ａで構成される。
増幅部７は、アンプ７ａで構成される。
音声出力部８は、スピーカ８ａで構成される。
制御部９は、例えばマイクロコントローラ９ａで構成される。
記憶部１０は、各種のメモリ１０ａで構成される。具体的には、後述するメモリ１０１と同様に構成される。
入力部１１は、例えばタッチパネルのようなタッチキー１１ａで構成される。
映像出力部１２は、例えば液晶ディスプレイ１２ａで構成される。
【００２９】
制御部９の他のハードウェア構成例について、図３Ａ及び図３Ｂを用いて説明する。
制御部９のサブチューナ処理制御部９０、放送番組サーチ制御部９１、代替え切替制御部９２、データサービス制御部９３、モード切替制御部９４、入出力制御部９５の各機能は、処理回路により実現される。当該処理回路は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ）であってもよい。ＣＰＵは、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）とも呼ばれる。
【００３０】
図３Ａは、制御部９の各部の機能を、専用のハードウェアである処理回路１００で実現した場合のハードウェア構成例を示す図である。処理回路１００は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものが該当する。サブチューナ処理制御部９０、放送番組サーチ制御部９１、代替え切替制御部９２、データサービス制御部９３、モード切替制御部９４、入出力制御部９５の各部の機能を別個の処理回路１００を組み合わせて実現してもよいし、各部の機能を１つの処理回路１００で実現してもよい。
【００３１】
図３Ｂは、制御部９の各部の機能を、メモリ１０１に格納されるプログラムを実行するＣＰＵ１０２で実現した場合のハードウェア構成例を示す図である。メモリ１０１は、記憶部１０を構成するものであってもよい。この場合、サブチューナ処理制御部９０、放送番組サーチ制御部９１、代替え切替制御部９２、データサービス制御部９３、モード切替制御部９４、入出力制御部９５の各部の機能は、ソフトウェア、ファームウェア、またはソフトウェアとファームウェアとの組合せにより実現される。ソフトウェア及びファームウェアはプログラムとして記述され、メモリ１０１に格納される。ＣＰＵ１０２は、メモリ１０１に格納されたプログラムを読み出して実行することにより、制御部９の各部の機能を実現する。すなわち、制御部９は、後述する図７のフローチャートで示す各ステップが結果的に実行されることになるプログラム等を格納するためのメモリ１０１を有する。また、これらのプログラムは、制御部９の各部の手順又は方法をコンピュータに実行させるものであるとも言える。ここで、メモリ１０１は、例えば、ＲＡＭ、ＲＯＭ、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等の、不揮発性又は揮発性の半導体メモリ、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等が該当する。
【００３２】
なお、制御部９の各部の機能について、一部を専用のハードウェアで実現し、一部をソフトウェアまたはファームウェアで実現するようにしてもよい。例えば、放送番組サーチ制御部９１、代替え切替制御部９２、データサービス制御部９３については専用のハードウェアとしての処理回路でその機能を実現し、サブチューナ処理制御部９０、モード切替制御部９４、入出力制御部９５については処理回路がメモリに格納されたプログラムを読み出して実行することによってその機能を実現することが可能である。
【００３３】
このように、処理回路は、ハードウェア、ソフトウェア、ファームウェアまたはこれらの組合せによって、上記の制御部９の各機能を実現することができる。
【００３４】
次に、上記のように構成されたデジタル放送受信機１による処理の一例について、図４〜図６に示すタイミングチャートを用いて説明する。
まず、図４を用いて説明する。図４に示すように、メインチューナ３では例えば放送局Ｂが選局されて、放送局Ｂの番組の音声受信及び当該番組のデータサービスの受信が行われている。放送局Ｂの番組は、音声出力部８からユーザに提供中の番組である。
サブチューナ４では、制御部９に制御されて、放送番組サーチ、代替え局選局、データサービス受信をこの順番で繰り返し行っている。
【００３５】
また、サブチューナ処理制御部９０は、デジタル放送受信機１の動作中、常にメインチューナ３及びサブチューナ４の受信レベルと、モード切替制御部９４による切替えを監視している。
メインチューナ３及びサブチューナ４の受信レベルについては、メインチューナ３及びサブチューナ４に、受信レベルの指標となる電界強度、ＳＮＲ（Ｓｉｇｎａｌ  ｔｏ  Ｎｏｉｓｅ  Ｒａｔｉｏ）等を検出する周知の回路等が設けられることで、デコード部５を介しサブチューナ処理制御部９０が監視可能である。
モード切替制御部９４による切替えについては、記憶部１０に記憶された情報を読み出すことにより、サブチューナ処理制御部９０が監視可能である。
【００３６】
なお、図４に示すように、サブチューナ４で放送局Ａの番組のデータサービス受信を行ってから、次に行うデータサービス受信において、放送局Ｂではなく放送局Ｃの番組のデータサービス受信を行うのは、メインチューナ３で既に放送局Ｂのデータサービスの受信を行っているからである。
【００３７】
次に、図５を用いて説明する。図５に示すように、時間Ｔ１までは、図４と同様の処理をメインチューナ３及びサブチューナ４は行っている。
そして、サブチューナ４がデータサービス受信を行っている最中の時間Ｔ１で、メインチューナ３の受信レベルが第１閾値以下、又は、サブチューナ４の受信レベルが第２閾値以下となると、サブチューナ処理制御部９０は、サブチューナ４が実行中のデータサービス受信を中断させ、放送番組サーチを開始させることを決定する。この決定は、放送番組サーチ制御部９１及びデータサービス制御部９３に通知される。そして、サブチューナ４は、放送番組サーチ制御部９１及びデータサービス制御部９３からの制御信号を受けて、実行中のデータサービス受信を中断して即時に放送番組サーチを開始する。
【００３８】
第１閾値は、例えばユーザが音声出力部８の出力音声を聴き取れなくなる程度の値に設定される。つまり、メインチューナ３の受信レベルが第１閾値以下の状態は、ユーザが出力音声を聴き取れない程に受信レベルが悪化していることを示している。つまり、この状態では、受信可能な番組が変化する可能性があることから、放送番組サーチの必要性が高い。
また、第２閾値は、例えばデータサービスのデータの受信ができなくなる程度の値に設定される。つまり、サブチューナ４の受信レベルが第２閾値以下の状態は、データサービスのデータの受信ができない程に受信レベルが悪化していることを示している。つまり、この状態では、データサービスのデータの取りこぼしが発生する可能性があることから、データサービス受信の確実性が低く、放送番組サーチに切替える方が効率的である。
なお、処理を簡単にするために、第１閾値と第２閾値を同じ値にして、閾値を１つだけ設定していてもよい。
【００３９】
そして、メインチューナ３の受信レベルが第１閾値以下、又は、サブチューナ４の受信レベルが第２閾値以下の状態の間は、サブチューナ処理制御部９０及び放送番組サーチ制御部９１により、サブチューナ４は放送番組サーチを繰り返し継続して行う。メインチューナ３の受信レベルが第１閾値以下、又は、サブチューナ４の受信レベルが第２閾値以下の状態では、受信可能な放送局が変化する可能性があることから放送番組サーチの必要性は高く、一方でデータの取りこぼしが発生する可能性があることからデータサービス受信の確実性は低い。従って、上記の状態となった場合は、確実性の低いデータサービス受信を中断し当該状態の間は常に必要性の高い放送番組サーチを継続して行うことが、効率的である。このようにして、デジタル放送受信機１は、効率的な放送番組サーチ、代替え局選局、データサービス受信を実現する。
【００４０】
そして、時間Ｔ２において、メインチューナ３の受信レベルが第１閾値を超えており、かつサブチューナ４の受信レベルが第２閾値を超えている状態となり、メインチューナ３の受信レベルが第１閾値以下、又は、サブチューナ４の受信レベルが第２閾値以下となった状態が解消されると、サブチューナ処理制御部９０は、放送番組サーチ、次いで代替え局選局、次いでデータサービス受信をワンセットとして行う処理を、サブチューナ４に開始させることを決定する。この決定は、放送番組サーチ制御部９１、代替え切替制御部９２及びデータサービス制御部９３に通知される。そして、当該処理をサブチューナ４が開始するように、放送番組サーチ制御部９１、代替え切替制御部９２及びデータサービス制御部９３は制御信号を出力する。
時間Ｔ２では、サブチューナ４は放送番組サーチを実行中であるので、当該実行中の放送番組サーチにおいて帯域内の各周波数のサーチが一旦終了すると、次いで代替え局選局が行われる。
【００４１】
また、図５の例では、時間Ｔ１で中断したデータサービス受信は、放送局Ｃの番組に対応するものであった。時間Ｔ２後、当該番組のデータサービスのデータは、番組リストに示された他の番組のデータサービスのデータ受信後に、再度受信するようにして、後回しにすると好ましい。これは、特にサブチューナ４の受信レベルが第２閾値以下だった場合に、時間Ｔ１から時間を置いた方が、放送局Ｃの番組のデータサービスを良好に受信できる状況となる可能性が高いと考えられるからである。
【００４２】
また、サブチューナ４でデータサービス受信中にメインチューナ３の受信レベルが第１閾値以下、又は、サブチューナ４の受信レベルが第２閾値以下と判定された場合であっても、放送番組サーチの結果、代替え局が有ることが既に判明している状態であり、メインチューナ３の受信レベルは第１閾値以下であるがサブチューナ４の受信レベルが第２閾値より高い場合には、サブチューナ処理制御部９０は、メインチューナとサブチューナの切替えを決定する。この決定は、代替え切替制御部９２に通知される。そして、代替え切替制御部９２からの制御信号を受けて、それまでメインチューナ３として機能していたチューナ３ａ，３ｂのいずれかが、サブチューナ４として機能する。このとき、サブチューナ処理制御部９０は、このサブチューナ４に放送番組サーチを即時に開始させることを決定する。この決定は、放送番組サーチ制御部９１に通知され、放送番組サーチ制御部９１は、サブチューナ４に放送番組サーチを開始させる。
【００４３】
このように、サブチューナ４でデータサービス受信中にメインチューナ３の受信レベルが第１閾値以下、又は、サブチューナ４の受信レベルが第２閾値以下の状態では、制御部９によりサブチューナ４は放送番組サーチのみを繰り返し継続して行うように制御される。このように制御することで、効率的な放送番組サーチ、代替え局選局、データサービス受信が可能となる。
【００４４】
次に、図６を用いて説明する。図６に示すように、時間Ｔ３までは、図４と同様の処理をメインチューナ３及びサブチューナ４は行っている。
そして、時間Ｔ３で、モード切替制御部９４が、ＤＡ変換部６で処理の対象とするデータを、デコード部５が出力するオーディオデータではない方に切替えると、つまり、デジタル放送受信機１がメインチューナ３で選局する放送局の番組をユーザに提供しなくなると、サブチューナ処理制御部９０は、サブチューナ４に実行中の処理、図６では放送番組サーチに次いで、データサービス受信を繰り返し継続する処理を開始させることを決定する。この決定は、放送番組サーチ制御部９１及びデータサービス制御部９３に通知される。そして、サブチューナ４は、放送番組サーチ制御部９１及びデータサービス制御部９３からの制御信号を受けて、実行中の放送番組サーチを終えるとデータサービス受信を繰り返し継続する処理を開始する。
【００４５】
そして、時間Ｔ４で、モード切替制御部９４が、ＤＡ変換部６で処理の対象とするデータを、デコード部５が出力するオーディオデータに切替えるまで、データサービス制御部９３により、サブチューナ４はデータサービス受信を繰り返し継続して行う。
【００４６】
そして、時間Ｔ４で、モード切替制御部９４が、ＤＡ変換部６で処理の対象とするデータを、デコード部５が出力するオーディオデータに切替えると、サブチューナ処理制御部９０は、サブチューナ４が実行中のデータサービス受信を中断させ、放送番組サーチを開始させることを決定する。この決定は、放送番組サーチ制御部９１及びデータサービス制御部９３に通知される。そして、サブチューナ４は、放送番組サーチ制御部９１及びデータサービス制御部９３からの制御信号を受けて、実行中のデータサービス受信を中断して即時に放送番組サーチを開始する。
【００４７】
なお、時間Ｔ３で、サブチューナ処理制御部９０は、サブチューナ４に実行中の処理、図６では放送番組サーチに次いで、データサービス受信を繰り返し継続する処理を開始させた。これは、データサービス受信と比べて放送番組サーチは開始から完了までに要する時間が短いため、放送番組サーチの完了を待ってもさほど支障が無く、むしろ番組リストの更新を完了させる方が好ましいからである。しかしながら、この時間Ｔ３で、サブチューナ処理制御部９０は、サブチューナ４に実行中の処理、図６では放送番組サーチを中断させて、データサービス受信を繰り返し継続する処理を即時に開始させてもよい。いずれにせよ、メインチューナ３が選局している放送局の番組をユーザに提供する必要が無い時間Ｔ３〜Ｔ４の間は、放送番組サーチの必要性が低いので、データサービス受信を優先させる。データサービス受信は、放送番組サーチ及び代替え局選局に比べ時間が掛かるので、時間Ｔ３〜Ｔ４の間にできるだけまとめて行っておくと、時間Ｔ４以降でサブチューナ４を効率的に利用できる。
【００４８】
また、時間Ｔ３〜Ｔ４の間は、メインチューナ３でもデータサービス受信を行うように、制御部９が制御を行ってもよい。
【００４９】
また、図６に示す場合においても、サブチューナ４がデータサービス受信を行っている最中で、メインチューナ３の受信レベルが第１閾値以下、又は、サブチューナ４の受信レベルが第２閾値以下となると、サブチューナ処理制御部９０は、サブチューナ４が実行中のデータサービス受信を中断させ、放送番組サーチを開始させることを決定する。そして、メインチューナ３の受信レベルが第１閾値以下、又は、サブチューナ４の受信レベルが第２閾値以下の状態の間は、サブチューナ処理制御部９０及び放送番組サーチ制御部９１により、サブチューナ４は放送番組サーチを繰り返し継続して行う。この場合、中断させた放送局の番組のデータサービス受信を、図５で示したのと同様に他の番組のデータサービス受信後に再度受信するようにして、後回しにすると好ましい。
メインチューナ３の受信レベルが第１閾値以下となった後に、メインチューナ３で選局する放送局の番組をユーザに提供する切替えが行われる可能性も考えられ、このことを考慮すると、データサービス受信を中断して放送番組サーチを開始する必要性は高い。
【００５０】
また、図６では、時間Ｔ４でデータサービス受信を中断させ、放送番組サーチを開始させた。しかしながら、時間Ｔ３でＤＡ変換部６での処理モードが切り替わってから再度時間Ｔ４でＤＡ変換部６での処理モードが切り替わるまでの間に、もしもデータサービス受信が１つも完了していないのであれば、つまり、時間Ｔ３と時間Ｔ４の間が短時間である場合は、時間Ｔ４以前に実行された放送番組サーチからあまり時間が経過していないことになる。この場合は、再度時間Ｔ４でＤＡ変換部６での処理モードが切り替わっても、サブチューナ４がデータサービス受信を継続するように制御部９で制御するとよい。
【００５１】
このように、メインチューナ３が選局する放送局の番組をユーザに提供しなくなると、制御部９によりサブチューナ４はデータサービス受信を優先して行うように制御される。このように制御することで、効率的な放送番組サーチ、代替え局選局、データサービス受信が可能となる。
【００５２】
図７は、デジタル放送受信機１による処理の一例を示すフローチャートである。
まず、サブチューナ処理制御部９０は、メインチューナ３の受信レベルが第１閾値以下、又は、サブチューナ４の受信レベルが第２閾値以下であるかを判定する（ステップＳＴ１）。
メインチューナ３の受信レベルが第１閾値より高く、かつ、サブチューナ４の受信レベルが第２閾値より高い場合（ステップＳＴ１；ＮＯ）、ステップＳＴ２の処理に移る。そしてサブチューナ処理制御部９０は、デジタル放送受信機１が提供するＤＡＢ以外のオーディオソースを提供するモードに切り替わっており、かつ、データサービスが未取得の放送局が有るかを判定する（ステップＳＴ２）。
【００５３】
ＤＡＢ以外のオーディオソースを提供するモードに切り替わっており、かつ、データサービスが未取得の放送局が有る場合（ステップＳＴ２；ＹＥＳ）、後述のステップＳＴ７の処理に移る。これは、データサービス受信を優先させるためであり、この場合、後述のステップＳＴ３及びステップＳＴ５に示す放送番組サーチの完了の判定及び代替え局の有無等の判定をいずれも行わない。
一方、ＤＡＢ以外のオーディオソースを提供するモードに切り替わっていない、又は、データサービスが未取得の放送局がない場合（ステップＳＴ２；ＮＯ）、サブチューナ処理制御部９０は、放送番組サーチが完了したかを判定する（ステップＳＴ３）。
【００５４】
放送番組サーチが完了していない場合（ステップＳＴ３；ＮＯ）、サブチューナ処理制御部９０は、サブチューナ４に放送番組サーチを行わせると決定する（ステップＳＴ４）。そして、サブチューナ処理制御部９０は、その旨を放送番組サーチ制御部９１に通知する。すると、放送番組サーチ制御部９１は、放送番組サーチを開始、又は、既に放送番組サーチを開始している場合は当該放送番組サーチを継続するようサブチューナ４に制御信号を出力し、サブチューナ４に放送番組サーチを行わせる。
【００５５】
一方、放送番組サーチが完了している場合（ステップＳＴ３；ＹＥＳ）、サブチューナ処理制御部９０は、代替え局が有り、かつ、代替え局選局時間が経過していないかを判定する（ステップＳＴ５）。代替え局の有無は、代替え切替制御部９２と同様にサービスＩＤに基づきサブチューナ処理制御部９０で判定してもよいし、代替え切替制御部９２からサブチューナ処理制御部９０へ代替え局の有無を通知させるようにしてもよい。なお、「代替え局選局時間が経過していない」状態には、代替え局選局が開始されていない状態、及び、代替え局選局の開始後に代替え局選局時間が経過していない状態の両方が含まれる。
代替え局が有り、かつ、代替え局選局時間が経過していない場合（ステップＳＴ５；ＹＥＳ）、サブチューナ処理制御部９０は、サブチューナ４に代替え局選局を行わせると決定する（ステップＳＴ６）。サブチューナ処理制御部９０は、その旨を代替え切替制御部９２に通知する。すると、代替え切替制御部９２は、代替え局選局を開始、又は、既に代替え局選局を開始している場合は当該代替え局選局を継続するようサブチューナ４に制御信号を出力し、サブチューナ４に代替え局選局を行わせる。
【００５６】
一方、代替え局が無い、又は、代替え局選局時間が経過している場合（ステップＳＴ５；ＮＯ）、サブチューナ処理制御部９０は、受信可能な全ての番組のデータサービスの受信が完了したかを判定する（ステップＳＴ７）。
【００５７】
受信可能な全ての番組のデータサービスの受信が完了していない場合（ステップＳＴ７；ＮＯ）、サブチューナ処理制御部９０は、サブチューナ４にデータサービス受信を行わせると決定する（ステップＳＴ８）。サブチューナ処理制御部９０は、その旨をデータサービス制御部９３に通知する。すると、データサービス制御部９３は、データサービスの受信を開始、又は、既にデータサービスの受信を開始している場合は当該データサービスの受信を継続するようサブチューナ４に制御信号を出力し、サブチューナ４にデータサービス受信を行わせる。
【００５８】
一方、受信可能な全ての番組のデータサービスの受信が完了した場合（ステップＳＴ７；ＹＥＳ）、サブチューナ処理制御部９０は、放送番組サーチを未完了、かつ、代替え局選局を未完了と設定する（ステップＳＴ９）。なお、代替え局選局未完了の場合、代替え局選局を開始してから経過時間が０であるとみなされる。
【００５９】
メインチューナ３の受信レベルが第１閾値以下、又は、サブチューナ４の受信レベルが第２閾値以下である場合（ステップＳＴ１；ＹＥＳ）、ステップＳＴ１０の処理に移る。そしてサブチューナ処理制御部９０は、代替え局が有り、かつ、メインチューナ３の受信レベルが第１閾値以下であり、かつ、サブチューナ４の受信レベルが第２閾値より高いかを判定する（ステップＳＴ１０）。
【００６０】
代替え局が有り、かつ、メインチューナ３の受信レベルが第１閾値以下であり、かつ、サブチューナ４の受信レベルが第２閾値より高い場合（ステップＳＴ１０；ＹＥＳ）、ステップＳＴ１１の処理に移る。そしてサブチューナ処理制御部９０は、代替え局への切替え、つまり、メインチューナ３として動作させていたチューナをサブチューナ４として動作させ、サブチューナ４として動作させていたチューナをメインチューナ３として動作させると決定する（ステップＳＴ１１）。サブチューナ処理制御部９０は、その旨を代替え切替制御部９２に通知して、代替え切替制御部９２にメインチューナとサブチューナの切替えを制御させる。なお、このときにサブチューナ４となったチューナは、放送番組サーチを開始するようにサブチューナ処理制御部９０及び放送番組サーチ制御部９１により制御される。
【００６１】
代替え局が無い、又は、メインチューナ３の受信レベルが第１閾値より高い、又は、サブチューナ４の受信レベルが第２閾値以下の場合（ステップＳＴ１０；ＮＯ）、サブチューナ処理制御部９０は、サブチューナ４に放送番組サーチを行わせると決定する（ステップＳＴ１２）。そして、サブチューナ処理制御部９０は、その旨を放送番組サーチ制御部９１に通知する。すると、放送番組サーチ制御部９１は、放送番組サーチを開始、又は、既に放送番組サーチを開始している場合は当該放送番組サーチを継続するようサブチューナ４に制御信号を出力し、サブチューナ４に放送番組サーチを行わせる。
【００６２】
続いて、サブチューナ処理制御部９０は、代替え局選局を未完了と設定する（ステップＳＴ１３）。
以上のような図７に示す一連の処理を、サブチューナ処理制御部９０は、周期的、例えば１００ミリ秒周期で繰り返し実施する。
【００６３】
なお、第１閾値よりも受信レベルが良い値に設定される第３閾値を設け、サブチューナ４で代替え局選局中にこの第３閾値をメインチューナ３の受信レベルが下回ると、サブチューナ処理制御部９０はメインチューナとサブチューナの切替えを決定するようにしてもよい。この場合でも、切替え後にサブチューナ４で放送番組サーチを行うのは同様である。このようにすると、音声出力部８の出力音声がさほど悪くない状態で、代替え局へシームレスに切替えることができる。
【００６４】
また、上記では、デジタル放送受信機１がＤＡＢ方式のデジタルラジオ放送を受信する場合を例に説明をした。しかしながら、デジタル放送受信機１は、ＨＤ（Ｈｉｇｈ  Ｄｅｆｉｎｉｔｉｏｎ）ラジオのような他のデジタルラジオ放送を受信するものであってもよい。または、デジタル放送受信機１は、デジタルテレビ放送を受信するものであってもよい。この場合、デジタル放送受信機１は、オーディオデータだけでなく映像データをデコードし、映像出力部１２にテレビ映像を表示するように構成される。
要は、デジタル放送受信機１は、デジタル放送を受信するものである。
【００６５】
以上のように、この実施の形態１に係るデジタル放送受信機１によれば、サブチューナ４でデータサービス受信中にメインチューナ３の受信レベルが第１閾値以下、又は、サブチューナ４の受信レベルが第２閾値以下となると、制御部９によりサブチューナ４は、データサービス受信を中断して放送番組サーチを開始し、メインチューナ３の受信レベルが第１閾値以下、又は、サブチューナ４の受信レベルが第２閾値以下の状態の間は、放送番組サーチを繰り返し継続して行うように制御される。このように制御することで、効率的な放送番組サーチ、代替え局選局、データサービス受信が可能となる。
また、メインチューナ３が選局する放送局の番組をユーザに提供しなくなると、制御部９によりサブチューナ４はデータサービス受信を優先して行うように制御される。このように制御することで、更に効率的な放送番組サーチ、代替え局選局、データサービス受信が可能となる。
【００６６】
なお、本願発明はその発明の範囲内において、実施の形態の任意の構成要素の変形、もしくは実施の形態の任意の構成要素の省略が可能である。
【産業上の利用可能性】
【００６７】
以上のように、この発明に係るデジタル放送受信機は、効率的な放送番組サーチ、代替え局選局、データサービス受信を可能とするため、ＤＡＢ等のデジタル放送を受信する受信機として車両等に搭載して用いるのに適している。
【符号の説明】
【００６８】
１  デジタル放送受信機、２  アンテナ、３  メインチューナ、３ａ，３ｂ  チューナ、４  サブチューナ、５  デコード部、５ａ  ＤＡＢデコーダ、６  ＤＡ変換部、６ａ  ＤＳＰ、７  増幅部、７ａ  アンプ、８  音声出力部、８ａ  スピーカ、９  制御部、９ａ  マイクロコントローラ、１０  記憶部、１０ａ  メモリ、１１  入力部、１１ａ  タッチキー、１２  映像出力部、１２ａ  液晶ディスプレイ、５０  オーディオデコード部、５１  データサービスデコード部、９０  サブチューナ処理制御部、９１  放送番組サーチ制御部、９２  代替え切替制御部、９３  データサービス制御部、９４  モード切替制御部、９５  入出力制御部、１００  処理回路、１０１  メモリ、１０２  ＣＰＵ。
【図１】
2017191675.tif 000003
【図２】
2017191675.tif 000004
【図３】
2017191675.tif 000005
【図４】
2017191675.tif 000006
【図５】
2017191675.tif 000007
【図６】
2017191675.tif 000008
【図７】
2017191675.tif 000009
【国際調査報告】
2017191675.tif 000010
2017191675.tif 000011